(57)【特許請求の範囲】
【請求項１】
販売機本体と、当該販売機本体の前面を開閉するメインドアと、前記販売機本体内に配設されると共に前記メインドアに沿って配設した断熱扉を有する商品収容庫と、当該商品収容庫内を冷却する冷却装置とを備え、当該冷却装置の排熱ファンを前記商品収容庫の下側に配設した自動販売機であって、前記排熱ファンの排気通路を、前記メインドアの内面と前記断熱扉の前面とで形成し、当該排熱ファンの排気エアーを当該排気通路を介して当該メインドアの上部から排気する自動販売機において、
前記メインドアには、前記排気通路に臨ませて商品ディスプレー部が設けられており、前記商品ディスプレー部には、前記排気エアーにより揺れる複数枚の揺らぎ片が配設されていることを特徴とする自動販売機。
【請求項２】
前記複数枚の揺らぎ片は、前面がそれぞれ単一色に彩色され、かつマトリクス状に配列されていることを特徴とする請求項１に記載の自動販売機。
【発明の詳細な説明】
【０００１】
【産業上の利用分野】
本発明は、主に、ジュース等の商品を販売する自動販売機に関するものである。
【０００２】
【従来の技術】
従来から一般的に利用されているこの種の自動販売機は、内部に収容した商品を冷却するための冷却装置を有しており、この冷却装置は、商品収容庫の底部に配置されたエバポレータと、販売機本体内で商品収容庫の下方に配置された凝縮器とを備えている。更に、冷却装置は、エバポレータを介して冷気を商品収容庫内で循環させるための冷気ファンと、凝縮器の冷媒と外気との熱交換を促進させるための排熱ファンとを備えている。そして、自動販売機を並設させる場合や背後壁に密着させる場合を考慮して、排熱ファンから送り出される排気エアーを前面に向けて排気させ、自動販売機の薄型化を達成している。
【０００３】
【発明が解決しようとする課題】
このような従来の自動販売機では、排気エアーを前面に向けて排気させているので、自動販売機の前に立った顧客の足元に温風があたり、不快感を与える場合があった。一方、商品収容庫の断熱扉には、商品を販売口ボックスに払い出すための払出口が設けられており、払出口から庫内の冷気が漏れて払出口廻りが結露し、この結露水によって自動販売機の内部が腐食する問題があった。
【０００４】
本発明は、以上のような課題を解決するために為されたものであり、顧客の足元に温風を吹き付けることがなく、かつ断熱扉の結露を防止することができる自動販売機を提供することをその目的としている。
【０００５】
【課題を解決するための手段】
上記目的を達成すべく請求項１の発明は、販売機本体と、販売機本体の前面を開閉するメインドアと、販売機本体内に配設されると共にメインドアに沿って配設した断熱扉を有する商品収容庫と、商品収容庫内を冷却する冷却装置とを備え、冷却装置の排熱ファンを商品収容庫の下側に配設した自動販売機において、排熱ファンの排気通路を、メインドアの内面と断熱扉の前面とで形成し、排熱ファンの排気エアーを排気通路を介してメインドアの上部から排気し、メインドアには、排気通路に臨ませて商品ディスプレー部が設けられており、商品ディスプレー部には、排気エアーにより揺れる複数枚の揺らぎ片が配設されていることを特徴とする。
【０００７】
またこの場合、複数枚の揺らぎ片は、前面がそれぞれ単一色に彩色され、かつマトリクス状に配列されていることが、好ましい。
【０００８】
【作用】
請求項１の自動販売機によれば、冷却装置の排熱ファンが作動すると、暖気である排気エアーは、メインドアの内面と断熱扉の前面とで形成された排気通路を
を通って、メインドアの上部から排気される。このため、排気エアーは、自動販売機の後方や側方はもとより、前方にも排気されることがなく、自動販売機の設置条件に影響を与えることがなく、かつ顧客の足元などに吹き付けられることがない。また、排気通路を通過する排気エアーは、排気通路を構成する断熱扉の前面に沿って上昇するため、断熱扉に生ずる結露水を瞬時に蒸発させて排気する。なお、上昇する排気エアーは、低温側である断熱扉側に自動的に引き付けられる。そして、メインドアに設けた商品ディスプレー部に、排気エアーにより揺れる複数枚の揺らぎ片が配設されていることにより、排熱ファンの排気エアーを利用して、揺らぎ片を強制的に揺することができる。これにより、顧客に対し、商品ディスプレー部を目立たせることができ、商品のアピール度を増して、販売意欲を喚起することができる。
【００１０】
請求項２の自動販売機によれば、複数枚の揺らぎ片は、前面がそれぞれ単一色に彩色され、かつマトリクス状に配列されていることにより、彩色の異なる複数数の揺らぎ片を用いてドット形式の図柄を形成することができ、複数数の揺らぎ片の集合体をメッセージボードとして利用することができる。これにより、一般的に利用されている看板デザインを、動画的且つ立体的にアピールすることができる。そして、商品ディスプレー部内で組合わされた揺らぎ片の一部又は全部を交換することで、顧客毎に違ったメッセージボードを簡単に提供することができる。
【００１１】
【実施例】
以下、添付図面を参照して、本発明の自動販売機の好適な実施例について詳細に説明する。図１は自動販売機の縦断面図である。同図に示すように、この自動販売機は、販売機本体２と、販売機本体２の前面に開閉自在に取り付けたメインドア３とを備えている。この販売機本体２内には、前面に断熱ドア４を有する商品収容庫５が収容され、この商品収容庫５の下部には、商品収容庫５内に冷気を循環させるための冷却ファン６が収容されている。また、商品収容庫５内には、缶ジュース等の商品を収容するための商品コラム７が並設され、商品コラム７の下方には、商品コラム７から一個ずつ払い出された商品を商品販売口Ｐ（図３参照）に導くためのシュート８が設けられている。
【００１２】
更に、販売機本体２の下部には冷却装置９が配置されている。この冷却装置９は、商品収容庫５の底部に配置されたエバポレータ１０と、販売機本体２内で商品収容庫５の下方に配置された圧縮器１１及び凝縮器１２と、これらを互いに接続して冷却サイクルを構成する冷媒配管（図示せず）と、エバポレータ１０に近接して配置された冷却ファン６及びモータ１３と、凝縮器１２に近接して配置された凝縮器ファン１４及びモータ１５とを備えている。
【００１３】
更に、冷却装置９は、図１及び図２に示すように、外部へ排熱を強制的に送り出すための排熱ファン１６及びモータ１７を備えている。ここで、この排熱ファン１６、凝縮器１２及び凝縮器ファン１４は、販売機本体２の下部に設けた排熱室１８内に配置されている。この排熱室１８は、仕切壁１９を介して、凝縮器１２と凝縮器ファン１４とを収容するための凝縮器ファン収容室２０と、排熱ファン１６を収容するための排熱ファン収容室２１とに分けられている。また、メインドア３の下部には外気導入口２２が設けられ、この外気導入口２２は、外気導入ダクト２３を介して凝縮器ファン収容室２０に連通している。従って、凝縮器ファン１４を駆動させることにより、外気導入口２２から冷たい外気を導入しながら、加熱した凝縮器１２の熱交換を促進させることができる。
【００１４】
更に、排熱室１８内において、凝縮器ファン収容室２０と排熱ファン収容室２１とを、仕切壁１９の後方で連通させることにより、凝縮器ファン１４により排熱室１８内に送り込まれた排気エアーを、仕切壁１９を迂回するようにして排熱ファン収容室２１に送り込むことができる。そして、排熱ファン１６を駆動させることにより、排気エアーはメインドア３に向けて強制的に送り出される。
【００１５】
ここで、図１に示すように、排熱ファン収容室２１は、メインドア３に連通しており、排熱ファン収容室２１内の排気エアーをメインドア３内に導入することができるようになっている。また、メインドア３内には、メインドア３の内面と断熱ドア４の前面とで形成された排気通路２４が設けられ、この排気通路２４は、メインドア３の略全幅に亙って形成されていると共に、メインドア３の頂壁に形成した吹出し口３ａまで延在している。このように、排気エアーをメインドア３に導くように構成することで、販売機本体２の前面下部に排気用吹出し口を設ける必要がなくなり、顧客の足元に排気エアーを吹き付けるなどの不具合を解消することができる。なお、吹出し口３ａは、雨水の侵入を考慮し、横吹出し或いは下吹出しにすることが好ましく、また防虫網を設けることが好ましい。
【００１６】
更に、メインドア３内において、排気通路２４の途中には、商品サンプル２５を陳列するための商品ディスプレー部２６が設けられている。メインドア３内に導入された排気エアーは、商品ディスプレー部２６を通過しながら吹出し口３ａから外部に排気される。この場合、排気通路２４において断熱ドア４側は温度が低いため、排気エアーは、断熱ドア４側に引き付けられ、その前面前面に沿って上昇してゆく。したがって、断熱ドア４に形成した払出口４ａ廻りなどに結露が生ずるのを防止することができる。これにより、結露水による自動販売機１内部の腐食を有効に防止することができる。
【００１７】
次に、図１及び図３に示すように、メインドア３内において、商品ディスプレー部２６には、複数枚の揺らぎ片３１をマトリクス状に配列した揺らぎボード３０が設けられている。揺らぎボード３０は従来の看板に代わるものであり、商品サンプル２５と断熱ドア４との間に配設されると共に、商品ディスプレー部２６の全域に亙って配設されている。
【００１８】
図４に示すように、各揺らぎ片３１は、断面が長円形の樹脂の板片であり、その上端部に貫通した支軸３２により、揺動自在に支持されている。下方から（矢印Ａ方向から）吹き上げる排気エアーにより、各揺らぎ片３１は無秩序に揺れ、揺らぎボード３０全体として動的な看板となる。各揺らぎ片３１は、単一の色で彩色されており、揺らぎ片３１の１つをドットとし、揺らぎボード３０全体に所定の図柄が描かれている。すなわち、複数色の揺らぎ片３１を複数（多数）枚組み合わせて、商品ディスプレー部２６にメッセージパネルが構成されている。
【００１９】
このように、排気エアーを利用し、静的な看板に代えて動的な揺らぎボード３０を設けているので、商品ディスプレー部２６のアピール度が増し、商品の販売が促進される。また、揺らぎボード３０は、看板と異なり図柄を印刷する必要がないので、任意の図柄を簡単に形成することができると共に、材料の無駄を生ずることなく簡単に交換することもできる。また、揺らぎボード３０は風を感じさせるため、さわやかな商品イメージを作り出すとができるので、顧客の購買意欲を換気することができる。なお、支軸３２は、商品ディスプレー部２９の略全幅に亙って延在するように、メインドア３の側壁３ｂ間に一直線状に設けることが、好ましい。
【００２０】
本発明の自動販売機１は前述した実施例に限定されるものではなく、例えば、凝縮器ファン１４に排熱ファン１６を兼ねさせるようにしてもよい。
【００２１】
【発明の効果】
以上のように本発明の自動販売機によれば、排熱ファンからの排気エアーを、メインドアの内面と断熱扉の前面との間に導入し、メインドアの上部から排気させるようにしているので、顧客の足元に温風を吹き付けることがなく、顧客に不快感を与えないようにすることができると共に、断熱扉の結露を防止することができる。そして、メインドア内の排気経路の途中に設けた商品ディスプレー部に複数枚の揺らぎ片を配置させることにより、排気エアーを利用して、商品ディスプレー部を引き立たせることができる。
【図面の簡単な説明】
【図１】本発明の自動販売機の一実施例を示す縦断面図である。
【図２】商品収容庫の下方に設けた排熱室を示す自動販売機の横断面図である。
【図３】図１に示した自動販売機の正面図である。
【図４】揺らぎ片を示す側面図である。
【符号の説明】
１    自動販売機
２    販売機本体
３    メインドア
４    断熱ドア
５    商品収容庫
９    冷却装置
１６    排熱ファン
２４    排気通路
２５    商品サンプル
２６    商品ディスプレー部
３０    揺らぎボード
３１    揺らぎ片
【図１】
0003800641.tif 000002
【図２】
0003800641.tif 000003
【図３】
0003800641.tif 000004
【図４】
0003800641.tif 000005